(57)【要約】      （修正有）【課題】縦軸線を有し、かつ、内管または管および外管または管を備える長さの調整可能な入れ子管を提供する。【解決手段】双方の管の一方に、第１の手段２８ａ，２８ｂを有する構造要素２０が設けられている。管は第２の手段を有する。更に、少なくとも１つの差し込み要素は、縦軸線Ｌの方向におよび／または縦軸線Ｌに対し垂直に構造要素２０を形状結合で固定するために第１の手段２８ａ，２８ｂおよび第２の手段４８ａ，４８ｂと協働する第３の手段を備える。【選択図】図２
2014037770.tif 000002
【特許請求の範囲】
【請求項１】
縦軸線Ｌを有し、かつ、内管または管(２)および外管または管（４）を備える長さの調整可能な入れ子管（１）であって、少なくとも１つの管（２，４）の面にまたは該管の中に、少なくとも１つの構造要素（２０）が設けられていてなる入れ子管において、
前記構造要素（２０）は第１の手段（２８ａ，ｂ）を有し、かつ、前記管（２，４）は第２の手段（４８ａ，ｂ）を有すること、
少なくとも１つの差し込み要素（５０，６０，７０）は、前記構造要素（２０）を形状結合で固定するために前記第１の手段（２８ａ，ｂ）および第２の手段（４８ａ，ｂ）と協働する第３の手段（５８，６８，７８）を備えること、および
前記差し込み要素（５０，６０，７０）は、前記管（２，４）と力結合および／または材料結合されていることを特徴とする入れ子管。
【請求項２】
前記構造要素（２０）は、圧力荷重された構造要素であることを特徴とする請求項１に記載の入れ子管。
【請求項３】
前記構造要素（２０）の前記第１の手段（２８ａ，ｂ）は、少なくとも１つの保持突出部（２１）であることを特徴とする請求項１または２に記載の入れ子管。
【請求項４】
前記管（２，４）の前記第２の手段（４８ａ，ｂ）は、少なくとも１つの取付開口部（４７ａ，ｂ）であることを特徴とする請求項１ないし３のいずれか１項に記載の入れ子管。
【請求項５】
前記差し込み要素（５０，６０，７０）の前記第３の手段は、少なくとも差し込み突出部（５１，６１，７１）であることを特徴とする請求項１ないし４のいずれか１項に記載の入れ子管。
【請求項６】
前記差し込み突出部（５１，６１，７１）は、少なくとも１つのウェブ（５４，５７，６４，６７）であり、該ウェブには、前記構成用要素（２０）の前記第１の手段（２８ａ，ｂ）が接触していることを特徴とする請求項５に記載の入れ子管。
【請求項７】
前記管（２，４）および前記構造要素（２０）は、異なった材料からなることを特徴とする請求項１ないし６のいずれか１項に記載の入れ子管。
【請求項８】
前記差し込み要素（５０，６０，７０）は、前記管（２，４）と同じ材料からなることを特徴とする請求項１ないし７のいずれか１項に記載の入れ子管。
【請求項９】
前記構造要素（２０）は、更に、前記管(２,４)と力結合されていることを特徴とする請求項１ないし８のいずれか１項に記載の入れ子管。
【請求項１０】
請求項１ないし９のいずれか１項に記載の入れ子管（１）およびスピンドル（１０）を有する補助脚（１００）であって、前記構造要素（２０）は、前記スピンドル（１０）のためのペデスタルであり、該ペデスタルは前記外管（４）に取り付けられている、補助脚。
【請求項１１】
前記外管（４）は、後壁（４２）と、前壁（４４）と、２つの側壁（４６ａ，ｂ）を備えた矩形の横断面を有し、前記構造要素（２０）は、前記外管（４）の少なくとも２つの壁部（４６ａ，ｂ）と形状結合されていることを特徴とする請求項１０に記載の補助脚。
【請求項１２】
前記補助脚（１００）の負荷された状態で、前記差し込み要素（５０，６０，７０）の前記第３の手段は、前記第１の手段（２８ａ，ｂ）と前記第２の手段（４８ａ，ｂ）との間で、力の流れの中に設けられていることを特徴とする請求項１０または１１に記載の補助脚。
【請求項１３】
第１の手段（２８ａ，ｂ）を有する少なくとも１つの構造要素（２０）のための組立方法であって、該構造要素は、入れ子管（１）の、第２の手段（４８ａ，ｂ）を有する管（２，４）の面にまたは該管の中に設けられていて、前記入れ子管は、縦軸線Ｌを有し、以下の段階、すなわち、
ａ）前記構造要素（２０）を、前記縦軸線Ｌに対し傾けた状態で、前記管（２，４）に直進的に挿入すること（Ｔ１）、
ｂ）前記構造要素を整列し、かつ、該構造要素（２０）の前記第１の手段（２８ａ，ｂ）を、前記管（２，４）の前記第２の手段（４８ａ，ｂ）に挿入すること（Ｒ２およびＴ３）
ｃ）第３の手段（５８，６８，７８）を有する少なくとも１つの差し込み要素（５０，６０，７０）を、前記管の前記第２の手段（４８ａ，ｂ）に挿入することであって、前記第３の手段（５８，６８，７８）は、前記構造要素（２０）を形状結合で固定するために前記第１の手段（２８ａ，ｂ）および第２の手段（４８ａ，ｂ）と協働し、
ｄ）前記差し込み要素（５０，６０，７０）および前記管（２，４）を力結合および／または材料結合すること、を有する。
【請求項１４】
前記差し込み要素（５０，６０，７０）は、前記管（２，４）の外側から挿入することを特徴とする請求項１３に記載の方法。
【請求項１５】
前記差し込み要素（５０，６０，７０）を、前記管（２，４）の内側から挿入することを特徴とする請求項１３または１４に記載の方法。
【請求項１６】
前記段階ｂ）とｃ）の間で、前記構造要素（２０）を、前記縦軸線Ｌに対し垂直に移動させること（Ｔ４）を特徴とする請求項１３ないし１５のいずれか１項に記載の方法。
【請求項１７】
段階ｂ）で、まず、前記構造要素（２０）の２つの第１の手段（２８ａ，ｂ）のうち一方の手段を、前記管（２，４）の一方の第２の手段（４８ａ，ｂ）に挿入すること、前記構造要素(２０)を前記縦軸線Ｌに対し垂直に整列させること、および、２つの第１の手段（２８ａ，ｂ）のうちの他方の手段を有する前記構造要素（２０）を、前記縦軸線Ｌに対し垂直に、他方の第２の手段（４８ａ，ｂ）に挿入することを特徴とする請求項１３ないし１６のいずれか１項に記載の方法。
【発明の詳細な説明】
【技術分野】
【０００１】
本発明は、請求項１の前提部分に記載の長さの調整可能な入れ子管に関する。本発明は、更に、このような入れ子管を有する補助脚、ならびに少なくとも１つの構造要素をこのような入れ子管の管に組み立てるための組立方法に関する。
【背景技術】
【０００２】
外管および内管を有する長さの調整可能な入れ子管は、特にセミトレーラまたはセミマウンテッドトレーラのための、支持装置において、使用される。
【０００３】
このような装置は、例えば特許文献１から公知である。このように知られた装置では、スピンドルおよびギアインプットシャフトのための共通のペデスタルを形成する構造要素は、３つの側で、入れ子管装置の管と結合されている。第４の側は、管の最後の壁部から間隔をあけて設けられている。このことによって、補助装置の特にコンパクトな構造を達成することが可能である。何故ならば、スピンドルを駆動させるためのギアの一部またはギアの全体を管内に収納することができるからである。一般的には、支持装置は、この実施の形態では、スチールでコンパクトに設計され、かつ、構造要素の固定は、溶接による材料結合によって、３つの側でなされる。スチール製の構造要素の実施の形態は、コンパクトな寸法であっても、作動中に生じる力の確実かつ安定的な支持を可能にする。同時に、材料は、スピンドルおよびギアインプットシャフトを直に取り付けるために十分な剛性を提供する。それ故に、他の材料からなる追加のベアリングブシュは必要でない。
【０００４】
このような装置の重量を軽減するために、特許文献２では、入れ子管支持装置が提案される。該入れ子管支持装置の内管および外管は、アルミニウム、アルミニウム合金、またはプラスチックからなる。必要な曲げ強さを達成するためには、これらの管は、縦方向リブを有する。
【０００５】
構成部材、例えば、通常はスチールから製造されているスピンドルナットまたは圧力プレートを、これらの材料からなる管と結合せねばならない。このような構成部材を、このような管に、直接的に材料結合することは、異なった材料の故に、接着または溶接によってのみ可能である。低い強度値およびプロセスの複雑性の故に、かようなプロセスは、特に補助脚に使用される入れ子管においては、締め出されている。他の固定手段は、結合される構造要素の型打ちまたはピン止めを用いる。構成部材の交換は、いずれにせよ、当該管の交換を必要とする。
【先行技術文献】
【特許文献】
【０００６】
【特許文献１】EP 1 104 369 B2
【特許文献２】DE 39 02 613 A1
【発明の概要】
【０００７】
従って、本発明の課題は、簡単な方法で構成部材を入れ子管の管に取り付けることができる、長さの調整が可能な入れ子管を提供することである。
【０００８】
上記課題は、請求項１の特徴によって解決される。
【０００９】
長さの調整が可能な入れ子管は、構造要素は第１の手段を有し、かつ、管は第２の手段を有すること、少なくとも１つの差し込み要素は、構造要素を形状結合で固定するために第１の手段および第２の手段と協働する第３の手段を備えること、および差し込み要素は、管と力結合および／または材料結合されていることを特徴とする。
【００１０】
第１の手段が第２の手段に挿入することができることは好ましい。第３の手段が、入れ子管の縦軸線Ｌの方向におよび／または縦軸線Ｌに対し垂直に（構造要素を）形状結合で固定するために第１の手段および第２の手段と協働することは好ましい。
【００１１】
第１の、第２のおよび第３の手段は、複数の利点を有する差し込みシステムを形成する。
【００１２】
組立は簡単化される。何故ならば、構造要素および管の面倒な溶接が不要だからであり、差し込み要素によって、構造要素を管内において形状結合で固定することができるからである。差し込み要素のみが、管と力結合または材料結合されている。その目的は、システムの必要な安定性を生じさせるためである。差し込み要素を外から挿入することは好ましいのであるから、差し込み要素を、簡単な方法で、管に取り付けることができる。
【００１３】
更なる利点は、軽量材料も、例えばスチールと結合することができるように、管および構造要素の材料が異なっていてよいことにある。
【００１４】
構造要素が全体的にまたは部分的に管の内部に設けられていることは好ましい。
【００１５】
特別な実施の形態は、管が概観であること、および構造要素が圧力荷重された構造要素であることを意図する。この構造要素は、例として、例えば補助脚の、そのペデスタルまたは圧力プレートであってもよい。
【００１６】
構造要素が、２つの向かい合う側で、第１の手段を有することは好ましい。第１の手段は、これらの箇所における構造要素の寸法が、管の側壁の間隔より大きくて、管の中では、対応の第２の手段が設けられており、第２の手段へは、第１の手段が挿入されるように、構成されている。このことは、作動中に作用する力を、構造要素から、縦軸線に平行に、管または管の当該の側壁に導入することができるという利点を有する。
【００１７】
管および構造要素が異なった材料からなることは好ましい。この場合、構造要素が、安定性の理由から、例えばスチールから製造されており、他方、管または入れ子管が、他の材料、例えば、アルミニウム、アルミニウム合金、チタン合金またはプラスチックから製造されていてもよいことは重要である。
【００１８】
入れ子管においては、このことによって、重量の減少が達成される。このことが利点であるのは、かような入れ子管が補助脚等において使用される場合である。何故ならば、この場合、輸送車両において、燃料を節約するか、または、実用荷重を増大させることができるからである。
【００１９】
構造要素および管は同じ材料からなることも、排除されない。
【００２０】
構造要素の第１の手段が、少なくとも１つの保持突出部であることは好ましい。保持突出部が構造要素の縁部部分であることは好ましい。縁部部分は、プレートまたはプレート状の構造要素では、追加の突出部を取り付ける必要がないので、利点である。
【００２１】
管の第２の手段が、少なくとも１つの取付開口部であることは好ましい。取付開口部は、周囲を閉じた開口部または空所であってもよい。第１のまたは第２の手段の実施の形態は、簡単な差し込み結合が可能であるという利点を有する。
【００２２】
構造要素が管の内部空間の中で完全に組み立てられることは好ましいので、縦軸線Ｌの方向における少なくとも１つの第２の手段の延在、好ましくは、縦軸線Ｌの方向における取付開口部の軸方向の延在が、第１の手段の軸方向の延在、好ましくは保持突出部の厚さよりも大きいことは、利点である。このことによって、構造要素が取付開口部へ容易に回動して入り込むことが可能である。形状結合が２点で実行することができるように、第２の取付開口部が設けられていることは好ましい。
【００２３】
取付開口部が、保持突出部の挿入後に、完全に満たされないのは、組立の理由から、取付開口部の横断面が、保持突出部の横断面より大きく選択されているとき、特にそのときである。構造要素の形状結合による固定を達成するために、差し込み要素が使用される。
【００２４】
差し込み要素の第３の手段が、少なくとも１つの差し込み突出部であることは好ましい。
【００２５】
この差し込み突出部は、少なくとも部分的に取付開口部を満たし、構造要素の保持突出部を差し込んだ後に取付開口部に残る、取付開口部の残部を、満たすことは好ましい。
【００２６】
差し込み突出部の実施の形態が、種々の方法で実施されていてもよい。このことは、一方では、第１の手段の実施の形態に依り、他方では、第２の実施の形態に依る。矩形の取付開口部、および横断面が矩形に形成された保持突出部は好ましい。取付開口部に残っている自由空間は、この実施の形態では、同様に矩形である。従って、差し込み要素の差し込み突出部を、残りの開口部のこの矩形に適合させることは好ましい。
【００２７】
差し込み突出部の第１の実施の形態は、少なくとも１つの第１のウェブに、構造要素の第１の手段が接触していることを意図する。第１のウェブが、入れ子管の垂直方向の配列に対して、水平方向のウェブであることは好ましい。
【００２８】
入れ子管、例えば、作動中にある補助脚が負荷の下にあるとき、構造要素および管の中に力の流れが存在する。形状結合を、差し込み要素または差し込み突出部を力の流れに含めて、従ってまた、直接間接に力の流れに含めずに行なう。２つの変形例を、差し込み要素の取付位置によって選択することができる。力の流れの中でのシステム（Anordnung）は、差し込み要素を締付力によって追加的に固定するという利点を有する。
【００２９】
更なる実施の形態によれば、差し込み要素は、２つの互いに平行に網けられた第１のウェブを有することができる。これらのウェブの間には、第１の手段のための受溝部が形成されている。
【００３０】
更なる実施の形態によれば、差し込み要素は、第１のウェブに対し垂直に設けられている少なくとも１つの第２のウェブを有する。第２のウェブが入れ子管の垂直方向の配列に対し垂直方向ウェブであることは好ましい。これらの２つのウェブの設置は、２つの互いに直交している方向における、形状結合での固定を引き起こす。
【００３１】
２つのまたはそれより多い差し込み要素を取付開口部に組み合わせることも可能である。
【００３２】
差し込み要素の材料は、アルミニウム、アルミニウム合金、チタン合金、スチールまたはプラスチックからなってもよい。
【００３３】
差し込み要素が管と同じ材料からなることができることは好ましい。このことは、差し込み要素を取り付けるために、差し込み要素を管に少なくとも点状に溶接する可能性を開く。
【００３４】
差し込み要素および管の材料結合は好ましい。このことは、溶接のほかに、接着またははんだ付けによっても行なえる。
【００３５】
差し込み要素と管の力結合は、ねじによって行なうことは好ましい。
【００３６】
構造要素が、更に、管と力結合されていることは好ましい。特別な実施の形態は、第１の手段が設けられていない、構造要素の側に、このタイプの固定を行なうことを意図する。追加の力結合によって、構造要素および管の組み合わせの安定性を更に高める。
【００３７】
本発明に係わる補助脚は、本発明に係わる入れ子管およびスピンドルを有する。構造要素は、スピンドルのためのペダステルであり、該ペダステルは、外管に取り付けられている。
【００３８】
外管が、後壁と、前壁と、２つの側壁を備えた、矩形の、特に正方形の横断面を有することは好ましい。
【００３９】
構造要素が、少なくとも２つの壁部、特に側壁と、差し込み要素によって形状結合されていることは好ましい。このことによって、管の少なくとも２つの壁部が、好ましくは、直接の力の流の線にあることが保証される。このことによって、１つまたは複数の差し込み要素の曲げひずみまたはねじれひずみは、差し込み要素が力の伝達に係わっている限りでは、大幅に回避される。対応の領域は、主に、圧力を受ける。
【００４０】
補助脚の負荷された状態で、差し込み要素の第３の手段が、第１の手段と第２の手段との間で、力の流れの中に設けられていることは好ましい。このことは、差し込み要素が締付力によって固定される利点を有する。
【００４１】
第１の手段を有する少なくとも１つの構造要素の組立方法であって、該構造要素は、入れ子管の、第２の手段を有する管の面にまたは該管の中に設けられていて、入れ子管は、縦軸線Ｌを有し、組立方法は、以下の段階、すなわち、
ａ）構造要素を、縦軸線Ｌに対し傾けた状態で、管に直進的に挿入すること（Ｔ１）、
ｂ）構造要素を整列し、かつ、該構造要素の第１の手段を、管の第２の手段に挿入すること（Ｒ２およびＴ３）
ｃ）第３の手段を有する少なくとも１つの差し込み要素を、管の前記第２の手段（４８ａ，ｂ）に挿入することであって、構造要素を形状結合で固定するために第３の手段は、第１のおよび第２の手段と協働し、
ｄ）差し込み要素および管を力結合および／または材料結合すること、を有する。
【００４２】
構想要素を整列する際に、構造要素を、縦軸線Ｌに対し垂直に従ってまた組み込み位置に整列することは好ましい。
【００４３】
差し込み要素を管の外側から挿入することは好ましい。差し込み要素を管の内側から挿入することも可能である。
【００４４】
構造要素が、更に、管と力結合されていることは好ましい。
【００４５】
段階ｂ）とｃ）の間で、構造要素を、縦軸線Ｌに対し垂直に移動させること（Ｔ４）は好ましい。この移動が後壁の方向になされることは好ましい。その目的は、管の前壁と構造要素との間に、自由空間を形成するためであり、かつ、必要な場合には、後壁に、追加の固定手段を備えるためである。
【００４６】
実施の形態によれば、段階ｂ）で、まず、構造要素の２つの第１の手段のうちの一方の手段を、管の一方の第２の手段に挿入し、次に、構造要素を縦軸線Ｌに対し垂直に整列させ、かつ、２つの第１の手段のうちの他方の手段を有する構造要素を、縦軸線Ｌに対し垂直に、他方の第２の手段へ挿入する。
【００４７】
差し込み要素が、更に、管と材料結合されていることは好ましい。
【図面の簡単な説明】
【００４８】
【図１】補助脚の垂直断面図を示す。
【図２】組立方法の開始時の構造要素を有する外管の、上から見た斜視図を示す。
【図３】組立段階を説明するための種々の断面図および平面図を示す。
【図４】組立段階を説明するための種々の断面図および平面図を示す。
【図５】組立段階を説明するための種々の断面図および平面図を示す。
【図６】組立段階を説明するための種々の断面図および平面図を示す。
【図７】差し込み要素の実施の形態の種々の斜視図を示す。
【図８】差し込み要素の実施の形態の種々の斜視図を示す。
【図９】差し込み要素の実施の形態の種々の斜視図を示す。
【図１０】差し込み要素の実施の形態の種々の斜視図を示す。
【図１１】差し込み要素の実施の形態の種々の斜視図を示す。
【図１２】差し込み要素の実施の形態の種々の斜視図を示す。
【図１３ａ】差し込み要素の実施の形態の種々の斜視図を示す。
【図１３ｂ】差し込み要素の実施の形態の種々の斜視図を示す。
【図１４】組み立てた状態にあって、実施の形態による構造要素を有する管の、上から見た斜視図を示す。
【図１５】図１４に示したシステムの垂直断面図を示す。
【図１６】図１４に示したシステムの垂直断面図を示す。
【図１７ａ】更なる実施の形態による構造要素を有する管の、上から見た斜視図を示す。
【図１７ｂ】更なる実施の形態による構造要素を有する管の、上から見た斜視図を示す。
【図１８ａ】図１７ａ，図１７ｂに示したシステムの断面図を示す。
【図１８ｂ】図１７ａ，図１７ｂに示したシステムの断面図を示す。
【図１９】図１７ａ，図１７ｂに示したシステムの断面図を示す。
【図２０】更なる実施の形態による構造要素を有する管の上から見た斜視図を示す。
【図２１】更なる実施の形態による構造要素を有する管の上から見た斜視図を示す。
【図２２】更なる実施の形態による構造要素を有する管の上から見た斜視図を示す。
【発明を実施するための形態】
【００４９】
以下、本発明の典型的な実施の形態を、図面を参照して詳述する。図１には、内管２および外管４を有する、長さの調整可能な入れ子管１を備えた補助脚１００が断面図で示されている。入れ子管１は、縦軸線Ｌを有する。上方領域には、補助脚１００はギアアウトプットシャフト１６およびギアインプットシャフト１８を有するギア１４を具備する。スピンドル１０およびギアインプットシャフト１８は、共に、構造要素２０であるペデスタルに取り付けられている。以下、図面を参照して詳述するように、この構造要素２０は、外管４に取り付けられている。
【００５０】
内管２には、スピンドルナット１２が取り付けられており、ボルト８によって、足部要素が取り付けられている。
【００５１】
図２には、外管４の上部の、上から見た斜視図が示されている。外管４での次の取付のための構造要素２０が、傾いた状態で示されている。上面３０を有する構造要素２０は、実質的に、４つの縁部部分２２，２４、２６ａ，２６ｂを有する矩形のプレートからなる。縁部部分２６ａ，２６ｂは、第１の手段２８ａ，２８ｂ従ってまた保持突出部２１を形成する。
【００５２】
これに対応して、外管４は、正方形の横断面を有し、かつ、後壁４２と、前壁４４と、２つの側壁４６ａ，４６ｂを有する。後壁４２は、側方に、なお、２つの取付プレート９０，９１を有する。構造要素２０の寸法は、前側の縁部部分２４と前壁４４との間に、ギア１４（図１を参照せよ）の１部を収容するための自由空間が残っているように、選択されている。
【００５３】
２つの向かい合った側壁４６ａ，４６ｂには、矩形の取付開口部４７ａ，４７ｂの形態をとる第２の手段４８ａ，４８ｂが設けられている。これらの取付開口部へは、側方の縁部部分２６ａ，２６ｂが係合する。取付開口部４７ａ，４７ｂは、縦軸線Ｌに対し垂直に整列されている。
【００５４】
図３ないし図６を参照して、組立過程を説明する。図の上部は、夫々、外管４の縦断面図を示し、図の下部は対応の平面図を示す。
【００５５】
図３は、図２に示した状況を示す。構造要素２０を、縦軸線Ｌに対し傾けつつ、直進運動Ｔ１によって、外管４の内部に挿入する。
【００５６】
回動運動Ｒ２によって、構造要素２０を、縦軸線Ｌに対し垂直に整列し、かつ、側方の縁部部分２６ａと共に、左の取付開口部４７ａに挿入する(図４を参照せよ)。
【００５７】
続いての、右への直進運動Ｔ３によって、縁部部分２６ｂを、側壁４６ｂの取付開口部４７ａに挿入する（図５）。
【００５８】
続いて、構造要素２０を、直進運動Ｔ４によって、後壁４２に押す。そこでは、必要な場合には、例えばねじ３２を用いて、力結合による（kraftschluessig）固定を行なうことができる（図１６を参照せよ）。
【００５９】
力結合の前に、差し込み要素５０，６０または７０を取付開口部４７ａ，４７ｂへ挿入する。
【００６０】
差し込み要素５０，６０または７０の種々の実施の形態が、図７ないし図１３ａ，図１３ｂに示されている。
【００６１】
すべての差し込み要素５０，６０または７０は、プレート５２，６２，７２を有する。該プレートには、少なくとも１つの差し込み突出部５１，６１，７１が設けられており、差し込み突出部は第３の手段５８，６８，７８を形成する。
【００６２】
図７ないし図９には、差し込み要素５０ａ，５０ｂ，５０ｃの実施の形態が示されている。これらの差し込み要素は、プレート５２に、少なくとも１つの第１のウェブ５４を、差し込み突出部５１および第３の手段５８として有する。この第１のウェブ５４に追加して、該ウェブに対し垂直に設けられた第２のウェブ５７ａ，５７ｂ(図８および図９)が、差し込み突出部５１および第３の手段５８として設けられていてもよい。これらの第２のウェブは、第１のウェブ５４の一端または両端に設けられている。
【００６３】
第１のウェブ５４が、垂直方向に、形状結合による（formschluessig）固定を引き起こすのに対し、第２のウェブ５７ａ，５７ｂによって、水平方向における形状結合による固定が可能である。差し込みの変形例に応じて、ウェブは、力の流れ(例えば、図１５における矢印Ｋを参照せよ)に、または、１８０°の回転により、力の流れの外側に設けられていてもよい。
【００６４】
第１のウェブ５４に隣り合って、受溝部５６が設けられている。受溝部の幅Ｂは、縁部部分２６ａ，ｂの厚さに適合されている。
【００６５】
図１０ないし図１２は、差し込み要素６０ａ，６０ｂ，６０ｃの第２の実施の形態を示す。この差し込み要素は、プレート６２と、差し込み突出部６１および第３の手段６８としての２つの第１のウェブ６４ａ，６４ｂとを有する。これらのウェブ６４ａ，６４ｂの間には、受溝部６６が形成されている。この実施の形態は、第１の実施の形態のように、同様に、第１のウェブに対し垂直に設けられた１つまたは２つの第２のウェブ６７ａ，６７ｂを、差し込み突出部６１および第３の手段６８として備えていてもよい（図１１または図１２を参照せよ）。
【００６６】
すべての図示した実施の形態５０，６０を、外側から、取付開口部４７ａ、４７ｂに差し込む。
【００６７】
図１３ａおよび図１３ｂには、差し込み要素７０の第３の実施の形態が２つの斜視図で示されている。この実施の形態を、図７，図８および図１０，図１１に示した第１のおよび第２の実施の形態の差し込み要素５０，６０と組み合わせることは好ましい。
【００６８】
この第３の実施の形態を、内から、取付開口部４７ａ，４７ｂに差し込むことは好ましい。
【００６９】
差し込み要素７０は、プレート７２と、第３の手段７８を形成する差し込み突出部７１とからなるベースボディ７４を具備する。差し込み要素７０は、組み立てられた状態では、第１の載置面８０によって、例えば、差し込み要素６０に載っている。差し込み要素７０は、ずれて設けられた第２の載置面８２によって、構造要素２０の上面３０に載っている。差し込み要素７０のプレート７２は、外管４の内面に接触している。このことは、全体としては、追加の補強および取付を引き起こす(図２１および図２２を参照せよ)。
【００７０】
図１４には、取り付けられた構造要素２０を有する外管４の、上から見た斜視図が示されている。取付開口部４７ａ，４７ｂには、夫々、差し込み要素５０ａ(図７を参照せよ)が外から差し込まれている。差し込み要素の５０ａのプレート５２は、側壁４６ａの外側に接触している。同様のことが、側壁４６ｂに接触している差し込み要素５０ａに当てはまる。
【００７１】
図１５には、図１４に示した外管４の垂直断面図が認められる。差し込み要素５０ａの第１のウェブ５４は、取付開口部４７ａおよび４７ｂに係合する。構造要素２０の縁部部分２６ａ，２６ｂは、同様に、取付開口部４７ａ，４７ｂに係合し、かつ、夫々、ウェブ５４に載っている。取付開口部４７ａ，４７ｂは、縦軸線Ｌの方向で、ウェブ５４および当該の縁部部分２６ａ，２６ｂによって満たされている。それ故に、縦軸線Ｌの方向における形状結合による固定が保証されている。補助脚の使用の場合における荷重中の力の流れは、矢印Ｋによって明らかにされている。ウェブ５４は、力の流れの外側にある。
【００７２】
図１６は、図１４に示した外管４の更なる断面図を示す。
【００７３】
構造要素２０の、前側の縁部部分２４と、前壁４４との間には、自由空間４９がある（図２も参照せよ）。構造要素２０の、後側の縁部部分２２は、後壁４２に接触しており、そこで、少なくとも１つのねじ２２と形状結合している。構造要素２０は、後側の縁部部分２２に、更に、突出部２７を有する。この突出部は、後壁４２の、対応の開口部３４に係合する。このことによって、後壁領域での追加の固定が達成される。そこに、第３の手段を有する差し込み要素が使用されない場合でも、である。ねじ３２の代わりに、差し込み要素が設けられていてもよい。この差し込み要素を、残りの差し込み要素と同様に、管に取り付けることができる。
【００７４】
図１７ａないし図１９には、更なる実施の形態が示されている。図１７ａは、構造要素２０を有する外管４の、上から見た斜視図を示す。差し込み要素６０ｂ(図１１を参照せよ)が使用される。差し込み要素６０ｂは、第２のウェブ６７ｂを有する。それ故に、差し込み要素２０を縦軸線Ｌの方向で形状結合により固定するために、縦軸線Ｌに対し垂直に、形状結合による固定も存する。
【００７５】
差し込み要素６０ｂは、材料結合で（stoffschluessig）、例えば、溶接または接着によって、側壁４６ａ，４６ｂと結合されている。
【００７６】
図１７ｂでは、差し込み要素６０ｂは、力結合で、ねじ６９によって、側壁４６ａ，４６ｂと結合されている。
【００７７】
図１８ａには、図１７ａに示した実施の形態の、更なる部分断面図が示されている。構造要素２０の側方の縁部部分２６ａは、２つのウェブ６４ａ，６４ｂの間の差し込み要素６０ｂの受溝部６６に挿入されている。ウェブ６４ａは、力の流れ（矢印Ｋを参照せよ）の負荷の下にある。
【００７８】
図１８ｂは、図１８ａに対応する図である。その目的は、プレート６２に係合するねじ６９による差し込み要素６２ｂの結合を明らかにするためである。
【００７９】
図１９には、図１７に示した実施の形態が平面部分断面図で示されている。この平面部分断面図から見て取れるように、縁部部分２６ａが、差し込み要素６０ｂの内部で、プレート６２および第２のウェブ６７ｂに接触しており、このことによって、縦軸線に対し垂直の方向における固定が保証される。
【００８０】
図２０には、更なる実施の形態の、上から見た斜視図が示されている。差し込み要素６０ａ（図１０を参照せよ）が使用される。差し込み要素６０ａは第２のウェブ６７ｂを有しないので、取付開口部４７ａ、４７ｂには、自由空間４１が残っている。縦軸線Ｌに対し垂直の方向で形状結合による固定を保証するために、この箇所で、追加の差し込み要素７０（図１３ａ，図１３ｂ）を、内側から挿入する。この差し込み要素の差し込み突出部７１が自由空間４１に適合する。このことは、図２１および図２２に詳細に示されている。図２２には、側壁が省略されている。縁部部分２６ａの脇にある差し込み突出部７１を、明瞭に見て取れるためである。
【００８１】
図２１が示すように、差し込み要素７０のプレート７２が、側壁４６ａ，４６ｂの内側に接触している。更に、差し込み要素７０は、載置面８０によって差し込み要素６０ａの第１のウェブ６４ａの上側に載っており、かつ、載置面８２によって、差し込み要素２０の上側３０に載っている。
【符号の説明】
【００８２】
１  入れ子管
２  内管
４  外管
５  足部要素
８  ボルト
１０  スピンドル
１２  スピンドルナット
１４  ギア
１６  ギアインプットシャフト
１８  ギアアウトプットシャフト
２０  構造要素
２１  保持突出部
２２  後側の縁部部分
２４  前側の縁部部分
２６ａ，２６ｂ  側方の縁部部分
２７  突出部
２８ａ，２８ｂ  第１の手段
３０  上面
３２  ねじ
３４  開口部
４１  自由空間
４２  後壁
４４  前壁
４６ａ，４６ｂ  側壁
４７ａ，４７ｂ  取付開口部
４８ａ，４８ｂ  第２の手段
４９  自由空間
５０ａ，５０ｂ，５０ｃ  差し込み要素
５１  差し込み突出部
５２  プレート
５４  第１のプレート
５６  受溝部
５７ａ，ｂ  第２のウェブ
５８  第３の手段
６０ａ，６０ｂ，６０ｃ  差し込み要素
６１  差し込み突出部
６２  プレート
６４ａ，６４ｂ  第１のウェブ
６６  受溝部
６７ａ，６７ｂ  第２のウェブ
６８  第３の手段
６９  ねじ
７０  差し込み要素
７１  差し込み突出部
７２  プレート
７４  ベースボディ
７８  第３の手段
８０  第１の載置面
８２  第２の載置面
９０  取付プレート
９１  取付プレート
１００  補助脚
Ｌ  入れ子管の縦軸線
Ｋ  力の流れ
【図１】
2014037770.tif 000003
【図２】
2014037770.tif 000004
【図３】
2014037770.tif 000005
【図４】
2014037770.tif 000006
【図５】
2014037770.tif 000007
【図６】
2014037770.tif 000008
【図７】
2014037770.tif 000009
【図８】
2014037770.tif 000010
【図９】
2014037770.tif 000011
【図１０】
2014037770.tif 000012
【図１１】
2014037770.tif 000013
【図１２】
2014037770.tif 000014
【図１３ａ】
2014037770.tif 000015
【図１３ｂ】
2014037770.tif 000016
【図１４】
2014037770.tif 000017
【図１５】
2014037770.tif 000018
【図１６】
2014037770.tif 000019
【図１７ａ】
2014037770.tif 000020
【図１７ｂ】
2014037770.tif 000021
【図１８ａ】
2014037770.tif 000022
【図１８ｂ】
2014037770.tif 000023
【図１９】
2014037770.tif 000024
【図２０】
2014037770.tif 000025
【図２１】
2014037770.tif 000026
【図２２】
2014037770.tif 000027